(57)【要約】【課題】コストアップを抑制しつつ適切な鑑賞環境を提供する。【解決手段】映像表示装置１００は、照明装置が出射する照明光により照明される空間に設置され、映像を表示する映像表示装置であって、記憶部１５０、通信部１４０、制御部１３０を備える。記憶部１５０は、映像の明るさの設定値と照明光の明るさの設定値とを対応付けた第１の対応情報と、映像の色合いの設定値と照明光の色合いの設定値とを対応付けた第２の対応情報とを記憶する。通信部１４０は、照明光の明るさおよび色合いの設定値を示す照明光情報を照明装置から取得する。制御部１３０は、照明光情報が示す照明光の明るさの設定値と第１の対応情報とに基づき、映像の明るさを調整し、照明光情報が示す照明光の色合いの設定値と第２の対応情報とに基づき、映像の色合いを調整する。【選択図】図２
2019066799.tif 000002
【特許請求の範囲】
【請求項１】
照明装置が出射する照明光により照明される空間に設置され、映像を表示する映像表示装置であって、
前記映像の明るさの設定値と前記照明光の明るさの設定値とを対応付けた第１の対応情報と、前記映像の色合いの設定値と前記照明光の色合いの設定値とを対応付けた第２の対応情報とを記憶する記憶手段と、
前記照明光の明るさおよび色合いの設定値を示す照明光情報を前記照明装置から取得する取得手段と、
前記照明光情報が示す前記照明光の明るさの設定値と前記第１の対応情報とに基づき、前記映像の明るさを調整し、前記照明光情報が示す前記照明光の色合いの設定値と前記第２の対応情報とに基づき、前記映像の色合いを調整する制御手段と、
を備える映像表示装置。
【請求項２】
前記照明光の明るさは、前記照明光の光束によって表され、
前記照明光の色合いは、前記照明光の色温度によって表される、
請求項１に記載の映像表示装置。
【請求項３】
前記映像の明るさは、前記映像の輝度によって表され、
前記映像の色合いは、前記映像の色温度によって表される、
請求項１または２に記載の映像表示装置。
【請求項４】
前記照明光情報に応じて前記映像の明るさおよび色合いの自動調整を実行するか否かを設定する操作情報を受け付ける操作入力手段、を備え、
前記制御手段は、前記操作入力手段が前記自動調整を実行することを設定する操作情報を受け付けた場合、前記映像の明るさおよび色合いの自動調整を実行する、
請求項１から３のいずれか１項に記載の映像表示装置。
【請求項５】
前記記憶手段は、前記第１の対応情報として、前記照明光の光束の設定値と前記映像の輝度の設定値とを対応付けた輝度光束対応テーブルを記憶し、前記第２の対応情報として、前記照明光の色温度の設定値と前記映像の色温度の設定値とを対応付けた色温度対応テーブルを記憶する、
請求項１から４のいずれか１項に記載の映像表示装置。
【請求項６】
映像を表示する映像表示装置が設置された空間を照明する照明光を出射する照明手段と、
前記映像の明るさの設定値と前記照明光の明るさの設定値とを対応付けた第１の対応情報と、前記映像の色合いの設定値と前記照明光の色合いの設定値とを対応付けた第２の対応情報とを記憶する記憶手段と、
前記映像の明るさおよび色合いの設定値を示す表示映像情報を前記映像表示装置から取得する取得手段と、
前記表示映像情報が示す前記映像の明るさの設定値と前記第１の対応情報とに基づき、前記照明光の明るさを調整し、前記表示映像情報が示す前記映像の色合いの設定値と前記第２の対応情報とに基づき、前記照明光の色合いを調整する制御手段と、
を備える照明装置。
【請求項７】
映像を表示する映像表示装置と、前記映像表示装置が設置された空間を照明するための照明光を出射する照明装置とを制御する制御装置であって、
前記映像の明るさおよび色合いの設定値を示す表示映像情報と、前記照明光の明るさおよび色合いの設定値を示す照明光情報の少なくともいずれか一方を取得する取得手段と、
前記映像の明るさの設定値と前記照明光の明るさの設定値とを対応付けた第１の対応情報と、前記映像の色合いの設定値と前記照明光の色合いの設定値とを対応付けた第２の対応情報とを記憶する記憶手段と、
前記取得手段が取得した前記表示映像情報と前記照明光情報の少なくともいずれか一方と、前記第１の対応情報および前記第２の対応情報とに基づき、前記映像と前記照明光の少なくともいずれか他方の明るさおよび色合いを調整する制御手段と、
を備える制御装置。
【請求項８】
照明装置が出射する照明光により照明される空間において映像を表示する映像表示装置の制御方法であって、
前記照明光の明るさおよび色合いの設定値を示す照明光情報を前記照明装置から取得する取得ステップと、
前記映像の明るさの設定値と前記照明光の明るさの設定値とを対応付けた第１の対応情報と前記照明光情報が示す前記照明光の明るさの設定値とに基づき、前記映像の明るさを調整し、前記映像の色合いの設定値と前記照明光の色合いの設定値とを対応付けた第２の対応情報と前記照明光情報が示す前記照明光の色合いの設定値とに基づき、前記映像の色合いを調整する制御ステップと、
を備える制御方法。
【請求項９】
照明装置が出射する照明光により照明される空間において映像を表示する映像表示装置のコンピュータを、
前記映像の明るさの設定値と前記照明光の明るさの設定値とを対応付けた第１の対応情報と、前記映像の色合いの設定値と前記照明光の色合いの設定値とを対応付けた第２の対応情報とを記憶する記憶手段、
前記照明光の明るさおよび色合いの設定値を示す照明光情報を前記照明装置から取得する取得手段、
前記照明光情報が示す前記照明光の明るさの設定値と前記第１の対応情報とに基づき、前記映像の明るさを調整し、前記照明光情報が示す前記照明光の色合いの設定値と前記第２の対応情報とに基づき、前記映像の色合いを調整する制御手段、
として機能させるプログラム。
【発明の詳細な説明】
【技術分野】
【０００１】
本発明は、映像表示装置、照明装置、制御装置、制御方法及びプログラムに関する。
【背景技術】
【０００２】
住宅に設置された、空調機器、照明機器、映像表示装置等の各種の設備機器を統合的に管理する設備管理システムの開発が進められている。また、この設備管理システムの開発において、映像表示装置に表示される映像を鑑賞するユーザに対して、適切な鑑賞環境を提供するための技術が求められている。
【０００３】
例えば、特許文献１は、映像表示装置の本体周辺の背景輝度およびリモコン周辺の背景輝度、または、本体周辺の色温度およびリモコン周辺の色温度を検知し、この検知結果を用いて、映像表示装置の表示映像の明るさを調節する技術を開示している。
【先行技術文献】
【特許文献】
【０００４】
【特許文献１】特開２０１１−１０９１８８号公報
【発明の概要】
【発明が解決しようとする課題】
【０００５】
しかし、特許文献１が開示する技術では、映像表示装置の本体とリモコンは、それぞれ、周辺の背景輝度および色温度を検知するためのセンサを装備する必要がある。このため、映像表示装置のコストアップを招く虞がある。
【０００６】
本発明は、上述のような事情に鑑みてなされたものであり、コストアップを抑制しつつ適切な鑑賞環境を提供することができる映像表示装置、照明装置、制御装置、制御方法及びプログラムを提供することを目的とする。
【課題を解決するための手段】
【０００７】
上記の目的を達成するため、本発明に係る映像表示装置は、照明装置が出射する照明光により照明される空間に設置され、映像を表示する映像表示装置であって、記憶手段、取得手段、制御手段を備える。記憶手段は、映像の明るさの設定値と照明光の明るさの設定値とを対応付けた第１の対応情報と、映像の色合いの設定値と照明光の色合いの設定値とを対応付けた第２の対応情報とを記憶する。取得手段は、照明光の明るさおよび色合いの設定値を示す照明光情報を照明装置から取得する。制御手段は、照明光情報が示す照明光の明るさの設定値と第１の対応情報とに基づき、映像の明るさを調整し、照明光情報が示す照明光の色合いの設定値と第２の対応情報とに基づき、映像の色合いを調整する。
【発明の効果】
【０００８】
本発明によれば、映像表示装置は、映像の明るさおよび色合いを、照明装置が出射する照明光の明るさおよび色合いの設定値に対応付けられた設定値を用いて調整して表示する。これにより、映像表示装置および照明装置が設置された空間内の明るさや色合い等を検知するためのセンサを要することなく、表示映像と照明光とのずれを小さくすることができ、コストアップを抑制しつつ適切な鑑賞環境を提供することができる。
【図面の簡単な説明】
【０００９】
【図１】本発明の実施の形態１に係る映像表示システムの構成を示す図
【図２】映像表示装置の構成を示すブロック図
【図３】（Ａ）は輝度光束対応テーブルの一例を示す図、（Ｂ）は色温度対応テーブルの一例を示す図
【図４】照明装置の構成を示すブロック図
【図５】映像表示制御処理の流れを示すフローチャート
【図６】実施の形態３に係る映像表示制御処理の流れを示すフローチャート
【図７】（Ａ）〜（Ｅ）はサンプル映像の表示態様および選択促進画像の一例を示す図
【図８】実施の形態３の変形例に係る映像表示制御処理の流れを示すフローチャート
【図９】実施の形態４に係る映像表示システムの構成を示す図
【図１０】制御装置の構成を示すブロック図
【図１１】実施の形態１〜４に係る映像表示装置、照明装置、制御装置のハードウェア構成の一例を示すブロック図
【発明を実施するための形態】
【００１０】
以下、本発明の実施の形態に係る映像表示システムについて、図面を参照しながら詳細に説明する。以下の実施の形態では、映像表示システムにＨＥＭＳ（Home Energy Management System）を適用した場合を例に説明する。
【００１１】
（実施の形態１）
映像表示システム１は、図１に示すように、映像を表示する映像表示装置１００と、周囲を照明する照明装置２００と、映像表示装置１００と照明装置２００とを相互にデータ通信可能に接続する通信ネットワークＮＷとを有する。
【００１２】
映像表示装置１００は、映像を表示画面に表示する。また、本実施の形態において、映像表示装置１００は、照明装置２００の照明光によって照明される部屋空間に配置され、デジタルテレビ放送信号を受信し、受信したデジタルテレビ放送信号に基づく映像を表示画面に表示するテレビジョン受信機である。また、映像表示装置１００は、住宅内の各種の設備機器を一括管理するＨＥＭＳコントローラとして機能する。なお、以下の説明では、デジタルテレビ放送信号を、単に「放送信号」と称することがある。また、映像表示装置１００の表示映像の明るさを表す指標として輝度を用い、表示映像の色合いを表す指標として色温度を用いる。また、映像表示装置１００の表示映像の輝度を映像輝度と称し、映像表示装置１００の表示映像の色温度を映像色温度と称する。
【００１３】
照明装置２００は、照明光を出射することにより周囲を照明する。照明装置２００は、ユーザによる設定変更に応じて、出射する照明光の光束および色温度を調整する機能を有する。本実施の形態において、照明装置２００は、映像表示装置１００が配置された部屋空間の天井部分に設置され、この部屋空間全体を照明する。なお、照明装置２００が出射する照明光の明るさを表す指標として光束を用い、照明光の色合いを表す指標として色温度を用いる。また、照明装置２００の照明光の輝度を照明光束と称し、照明装置２００の照明光の色温度を照明色温度と称する。
【００１４】
通信ネットワークＮＷは、有線または無線の通信回線を介して、映像表示装置１００と照明装置２００とを通信可能に接続する。ＨＥＭＳでは、システム内の装置間の通信プロトコルとして、通常、ＥＣＨＯＮＥＴ Ｌｉｔｅ（登録商標）が用いられる。したがって、映像表示システム１は、ＥＣＨＯＮＥＴ Ｌｉｔｅに則ってデータ通信を行う。
【００１５】
次に、映像表示システム１に含まれる映像表示装置１００、照明装置２００の各構成について説明する。
【００１６】
映像表示装置１００は、図２に示すように、操作入力部１１０、放送受信部１２０、制御部１３０、通信部１４０、記憶部１５０、表示部１６０、音声出力部１７０を備える。
【００１７】
操作入力部１１０は、電源オン／オフ、チャンネル選択、音量調節等のユーザによる各種の操作を受け付ける。操作入力部１１０は、例えば、映像表示装置１００を遠隔操作する機能を有するリモートコントローラ、携帯電話、タブレット端末等の操作機器ＲＣから赤外線通信、Ｂｌｕｅｔｏｏｔｈ（登録商標）等の近距離無線通信を用いて送信される操作信号を受信する通信インタフェースを備える。なお、操作入力部１１０は、特許請求の範囲における映像表示装置の操作入力手段の一例である。
【００１８】
操作入力部１１０は、受信した操作信号を制御部１３０の構成部位に適宜出力する。例えば、操作入力部１１０は、チャンネル選択の操作信号を受信した場合、制御部１３０の選局部１３１に受信した操作信号を出力する。また、操作入力部１１０は、表示映像の明るさを調整する操作信号を受信した場合、映像制御部１３４に受信した操作信号を出力し、音量を調整する操作信号を受信した場合、音声制御部１３５に受信した操作信号を出力する。なお、操作入力部１１０は、ユーザによる操作を受け付けるためのボタン、キー、つまみ等の物理的な部材を備え、これらの部材を用いた操作に応じた操作信号を生成してもよい。操作入力部１１０は、特許請求の範囲における映像表示装置の操作入力手段の一例である。
【００１９】
放送受信部１２０は、放送信号を受信するチューナを備える。放送受信部１２０は、例えば、アンテナＡＮＴを介して、放送局から送信される地上波、衛星が中継する衛星波等の無線放送信号を受信する。また、放送受信部１２０は、後述する選局部１３１から入力した選局信号が示すチャンネルに対応する周波数帯域の放送信号を受信し、受信した放送信号を後述する復調部１３２に出力する。なお、放送受信部１２０は、放送局から光ケーブルや同軸ケーブル等を介して伝送される有線放送信号を受信してもよい。
【００２０】
制御部１３０は、ＣＰＵ（Central Processing Unit）、ＲＡＭ（Random Access Memory）、ＲＯＭ（Read Only Memory）等を有するコンピュータを備える。制御部１３０は、ＲＯＭに記憶された各種の動作プログラムを読み出してＲＡＭ上で実行することにより、映像表示装置１００の各構成部位を制御する。
【００２１】
制御部１３０は、機能的には、選局部１３１、復調部１３２、分離部１３３、映像制御部１３４、音声制御部１３５を有する。
【００２２】
選局部１３１は、操作入力部１１０から入力した操作信号に基づき、ユーザにより選択された選局チャンネルを特定する。また、選局部１３１は、特定した選局チャンネルを示す選局信号を生成し、放送受信部１２０に出力する。
【００２３】
復調部１３２は、放送受信部１２０から入力した放送信号の復調および誤り訂正を行い、多重信号を取得する。本実施の形態において、多重信号は、国際規格ＭＰＥＧ−２（Moving Picture Experts Group phase 2）システムで規定されたトランスポートストリーム（Transport Stream：ＴＳ）と呼ばれる多重信号形式で多重化された信号である。
【００２４】
分離部１３３は、復調部１３２が取得した多重信号に含まれる各種信号を分離する。分離部１３３は、例えば、多重信号に含まれる映像信号および音声信号を抽出し、映像信号を映像制御部１３４に出力し、音声信号を音声制御部１３５に出力する。
【００２５】
映像制御部１３４は、分離部１３３から入力した映像信号に各種の映像処理を施して表示用映像信号を生成し、表示部１６０に出力する。より具体的には、映像制御部１３４は、分離部１３３から入力した映像信号を復号し、復号した映像信号を輝度信号と色信号とに分離する。映像制御部１３４は、輝度信号と色信号の各々にゲイン調整、ガンマ補正等の映像処理を施す。映像制御部１３４は、映像処理が施された輝度信号および色信号をＲＧＢ（Red, Green, Blue）信号に変換し、表示用映像信号として表示部１６０に出力する。なお、映像制御部１３４は、特許請求の範囲における映像表示装置の制御手段の一例である。
【００２６】
音声制御部１３５は、分離部１３３から入力した音声信号を復号し、復号した音声信号に音量調整、音質調整等の各種音声処理を施した後、音声出力部１７０が出力可能な音声フォーマットに変換し、出力用音声信号として音声出力部１７０に出力する。
【００２７】
なお、選局部１３１、復調部１３２、分離部１３３、映像制御部１３４、音声制御部１３５は、１つのコンピュータにより実現されてもよいし、それぞれが別個のコンピュータにより実現されてもよい。
【００２８】
通信部１４０は、通信ネットワークＮＷを介して、照明装置２００とデータ通信するための通信インタフェースである。通信部１４０は、例えば、照明装置２００から照明光情報を受信する。なお、通信部１４０は、特許請求の範囲における映像表示装置の取得手段の一例である。
【００２９】
記憶部１５０は、記憶内容が書き換え可能な不揮発性の半導体メモリ、ハードディスクドライブ等を備え、演算データ、送受信データ等の各種データを記憶する。記憶部１５０は、例えば、映像輝度の設定値と照明光束の設定値とが対応付けられた輝度光束対応情報、映像色温度の設定値と照明色温度の設定値とが対応付けられた色温度対応情報、映像輝度の調整設定の状態を表す輝度調整フラグ、映像色温度の調整設定の状態を表す色温度調整フラグ等を予め定められた記憶領域に記憶する。ここで、記憶部１５０は、特許請求の範囲における映像表示装置の記憶手段の一例である。また、輝度光束対応情報は、特許請求の範囲における第１の対応情報の一例であり、色温度対応情報は、特許請求の範囲における第２の対応情報の一例である。
【００３０】
記憶部１５０は、輝度光束対応情報として、例えば、図３（Ａ）に示す輝度光束対応テーブルを記憶する。この輝度光束対応テーブルでは、映像輝度の設定値と照明光束の設定値とが複数の範囲に区分されて対応付けられている。例えば、映像輝度１５０〜２４９ｃｄ／ｍ２の範囲には、照明光束３０００−４４９９ｌｍの範囲が対応付けられている。なお、輝度光束対応情報として、輝度光束対応テーブルに替えて、映像輝度の設定値と照明光束の設定値との関係を定めた関数等を用いてもよい。
【００３１】
また、記憶部１５０は、色温度対応情報として、例えば、図３（Ｂ）に示す色温度対応テーブルを記憶する。この色温度対応テーブルでは、映像色温度の設定値と照明色温度の設定値とが複数の範囲に区分されて対応付けられている。例えば、映像色温度６０００−８４９９Ｋの範囲には、照明色温度３５００−４１９９Ｋの範囲が対応付けられている。なお、色温度対応情報として、輝度光束対応テーブルに替えて、映像色温度の設定値と照明色温度の設定値との関係を定めた関数等を用いてもよい。
【００３２】
なお、図３（Ａ）に示す輝度光束対応テーブルは、映像輝度と照明光束との対応関係を規定したテーブルの一例であり、図３（Ｂ）に示す色温度対応テーブルは、映像色温度と照明色温度との対応関係を規定したテーブルの一例であって、こられに限定されない。例えば、映像表示装置１００が映像輝度の設定値を、「高」、「中」、「低」等の複数のレベル区分によって取り扱う一方、照明装置２００が照明光束を、基準値に対する割合で取り扱う場合には、映像輝度のレベル区分と照明光束の割合とを対応付けたテーブルを輝度光束対応テーブルとして用いることもできる。
【００３３】
また、記憶部１５０は、上述したように、映像輝度の調整設定の状態を示す輝度調整設定フラグ、映像色温度の調整設定の状態を示す色温度調整設定フラグを記憶する。映像制御部１３４は、操作入力部１１０から入力した映像輝度の自動調整またはユーザ調整の設定を指示する操作信号に応じて、輝度調整設定フラグを更新する。映像制御部１３４は、映像輝度を照明光束に応じて自動的に調整する自動調整に設定することを指示する操作信号を入力した場合、輝度調整設定フラグの値を「１」に設定し、オン状態にセットする。一方、映像制御部１３４は、映像輝度の調整設定をユーザ調整に設定することを指示する操作信号を取得した場合、輝度調整フラグの値を「０」に設定し、オフ状態にセットする。映像制御部１３４は、映像表示装置１００の電源投入時に輝度調整設定フラグの内容を記憶部１５０から読み出し、稼働中は輝度調整設定フラグをＲＡＭに記憶して適宜更新し、電源遮断時に輝度調整設定フラグを記憶部１５０に書き込む。色温度調整設定フラグについても同様である。
【００３４】
表示部１６０は、液晶ディスプレイ（Liquid Crystal Display：ＬＣＤ）、有機ＥＬ（Electro-Luminescence）ディスプレイ等のディスプレイデバイスを備え、映像制御部１３４から供給された表示用映像信号に基づく映像を表示する。
【００３５】
音声出力部１７０は、スピーカを備え、音声制御部１３５から供給された出力用音声信号に基づく音声を出力する。
【００３６】
照明装置２００は、図４に示すように、操作入力部２１０、制御部２２０、通信部２３０、記憶部２４０、照明部２５０を備える。
【００３７】
操作入力部２１０は、照明装置２００の電源オン／オフ、照明装置２００の照明光の明るさ、色調の調整等のユーザによる各種の操作を受け付ける。操作入力部２１０は、例えば、照明装置２００を遠隔操作する機能を有するリモートコントローラ、携帯電話、タブレット端末等の操作機器ＲＣから赤外線通信、Ｂｌｕｅｔｏｏｔｈ（登録商標）等の近距離無線通信を用いて送信される操作信号を受信する通信インタフェースを備える。なお、操作入力部２１０は、配電線により有線接続され、照明装置２００が取り付けられた部屋の壁面に設けられたコントロールユニットから操作信号を受け付けてもよい。
【００３８】
制御部２２０は、ＣＰＵ、ＲＯＭ、ＲＡＭ等を有するコンピュータを備え、照明部２５０が出射する照明光を制御する。制御部２２０は、操作入力部２１０を介して受け付けたユーザ操作に応じて、点灯、消灯、調光、調色等を行うための制御信号を照明部２５０に出力する。制御部２２０は、照明部２５０に出力した制御信号をＲＡＭに記憶する。この制御信号には、例えば、ＰＷＭ（Pulse Width Modulation）信号が用いられる。制御部２２０は、ＰＷＭ信号のデューティ比を調整し、照明部２５０に流れる電流を調整することにより、照明部２５０が出射する出射光を制御する。なお、制御部２２０は、特許請求の範囲における照明装置の制御手段の一例である。
【００３９】
制御部２２０は、ユーザ操作により照明光の設定が変更されたとき、または、映像表示装置１００からの送信要求に応じて、ＲＡＭに記憶された制御信号に基づいて照明光情報を生成し、通信部２３０を制御して照明光情報を映像表示装置１００に送信する。照明光情報は、照明光の光束の設定値を示す照明光束情報および照明光の色温度の設定値を示す照明色温度情報とを含む。
【００４０】
通信部２３０は、通信ネットワークＮＷを介して、映像表示装置１００とデータ通信するための通信インタフェースである。通信部２３０は、例えば、制御部２２０の制御のもと、照明光情報を映像表示装置１００に送信する。なお、通信部２３０は、特許請求の範囲における照明装置の取得手段の一例である。
【００４１】
記憶部２４０は、記憶内容が書き換え可能な不揮発性の半導体メモリ、ハードディスクドライブ等を備え、演算データ、送受信データ等の各種データを記憶する。記憶部２４０は、例えば、映像表示装置１００に送信された照明光情報を適宜更新して記憶する。なお、記憶部２４０は、特許請求の範囲における照明装置の記憶手段の一例である。
【００４２】
照明部２５０は、制御部２２０から入力した制御信号に基づいて、照明光を出射する。照明部２５０は、例えば、制御信号に応じて光束および色温度を調整可能な単一または複数のＬＥＤ（Light Emitting Diode）デバイスを備える。照明部２５０から出射される照明光により、映像鑑賞空間である部屋空間が照明される。なお、照明部２５０は、特許請求の範囲における照明手段の一例である。
【００４３】
通信ネットワークＮＷは、例えば、宅内に構築された有線または無線のＬＡＮ（Local Area Network）であって、ＨＥＭＳの標準通信プロトコルであるＥＣＨＯＮＥＴ Ｌｉｔｅに則してデータ通信を行う。
【００４４】
次に、図５を参照しながら、映像表示装置１００の制御部１３０が実行する映像表示制御処理について説明する。映像表示制御処理は、照明装置２００の照明光の光束および色温度の設定に応じて、映像表示装置１００が表示する映像の輝度および色温度を調整する処理である。制御部１３０は、映像表示装置１００の電源が投下されたことに応答して、映像表示制御処理を開始する。
【００４５】
制御部１３０は、映像表示制御処理を開始すると、まず、照明光情報を取得したか否かを判定する（ステップＳ１０１）。制御部１３０は、照明装置２００から送信された照明光情報を通信部１４０を介して受信したか否かに応じて判定する。照明光情報を取得していないと判定した場合（ステップＳ１０１：ＮＯ）、制御部１３０は、ステップＳ１０１の処理を繰り返し実行し、照明光情報を取得するまで待機する。なお、制御部１３０は、一定時間待機しても照明光情報を取得できない場合は、照明装置２００に対して照明光情報の送信要求を送信してもよい。
【００４６】
一方、照明光情報を取得したと判定した場合（ステップＳ１０１：ＹＥＳ）、制御部１３０は、映像輝度と照明光束とが適合しているか否かを判定する（ステップＳ１０２）。制御部１３０は、まず、現状の映像輝度を取得する。例えば、制御部１３０の映像制御部１３４が表示部１６０に出力する表示用映像信号から１〜数フレーム分の平均輝度レベル（Average Picture Level：ＡＰＬ）を算出することにより、映像輝度情報を取得する。続いて、制御部１３０は、記憶部１５０に記憶された輝度光束対応テーブルを参照し、現状の映像輝度とステップＳ１０１において取得した照明光情報に含まれる照明光束情報が示す照明光束とが対応付けられているか否かに応じて、映像輝度と照明光束とが適合しているか否かを判定する。映像輝度と照明光束とが適合していると判定した場合（ステップＳ１０２：ＹＥＳ）、制御部１３０は、ステップＳ１０５に処理を進める。
【００４７】
一方、映像輝度と照明光束とが適合していないと判定した場合（ステップＳ１０２：ＮＯ）、制御部１３０は、映像輝度の調整設定が自動調整であるか否かを判定する（ステップＳ１０３）。制御部１３０は、記憶部１５０またはＲＡＭに記憶された輝度調整設定フラグの値を参照し、「１」（オン状態）にセットされているか否かに応じて判定する。映像輝度の調整設定が自動調整ではないと判定した場合（ステップＳ１０３：ＮＯ）、すなわち、輝度調整設定フラグの値が「０」（オフ状態）にセットされており、映像輝度の調整設定がユーザ調整であると判定した場合、制御部１３０は、ステップＳ１０５に処理を進める。
【００４８】
一方、映像輝度の調整設定が自動調整であると判定した場合（ステップＳ１０３：ＹＥＳ）、制御部１３０は、映像輝度を照明光束に適合させるための輝度調整量を決定する（ステップＳ１０４）。制御部１３０の映像制御部１３４は、輝度光束対応テーブルにおいて照明光束情報が示す照明光束に対応付けられた映像輝度に調整するためのゲイン調整量を算出し、輝度調整量を決定する。
【００４９】
次に、制御部１３０は、映像色温度と照明色温度とが適合しているか否かを判定する（ステップＳ１０５）。制御部１３０は、まず、現状の映像色温度を取得する。例えば、制御部１３０の映像制御部１３４が表示部１６０に出力する表示用映像信号から１〜数フレーム分の平均色温度を算出することにより、現状の映像色温度を取得する。続いて、制御部１３０は、記憶部１５０に記憶された色温度対応テーブルを参照し、現状の映像色温度とステップＳ１０１において取得した照明光情報に含まれる照明色温度情報が示す照明色温度とが対応付けられているか否かに応じて、映像色温度と照明色温度とが適合しているか否かを判定する。映像色温度と照明色温度とが適合していると判定した場合（ステップＳ１０５：ＹＥＳ）、制御部１３０は、ステップＳ１０８に処理を進める。
【００５０】
一方、映像色温度と照明色温度とが適合していないと判定した場合（ステップＳ１０５：ＮＯ）、制御部１３０は、映像色温度の調整設定が自動調整であるか否かを判定する（ステップＳ１０６）。制御部１３０は、記憶部１５０またはＲＡＭに記憶された色温度調整設定フラグの値を参照し、「１」（オン状態）にセットされているか否かに応じて判定する。映像色温度の調整設定が自動調整ではないと判定した場合（ステップＳ１０６：ＮＯ）、すなわち、色温度調整設定フラグの値が「０」（オフ状態）にセットされており、映像色温度の調整設定がユーザ調整であると判定した場合、制御部１３０は、ステップＳ１０８に処理を進める。
【００５１】
一方、映像色温度の調整設定が自動調整であると判定した場合（ステップＳ１０６：ＹＥＳ）、制御部１３０は、映像色温度を照明色温度に適合させるための色温度調整量を決定する（ステップＳ１０７）。制御部１３０の映像制御部１３４は、例えば、色温度対応テーブルにおいて照明色温度情報が示す照明光束に対応付けられた映像輝度に調整するためのＲ，Ｇ，Ｂの各ゲイン調整量を算出し、色温度調整量を決定する。
【００５２】
続いて、制御部１３０は、決定した輝度調整量および色温度調整量に基づいて、表示映像を調整して表示する（ステップＳ１０８）。映像制御部１３４は、ステップＳ１０４において算出したゲイン調整量を用いて映像信号の輝度信号にゲイン処理を施すことにより、表示映像の輝度を調整する。また、映像制御部１３４は、ステップＳ１０７において算出したゲイン調整量を用いて映像信号の各色信号にそれぞれゲイン処理を施すことにより、表示映像の色温度を調整する。
【００５３】
なお、ステップＳ１０２においてＹＥＳと判定した場合またはステップＳ１０３においてＮＯと判定した場合には、制御部１３０は、予め定められた標準的な輝度調整量に基づいて、表示映像を調整して表示する。また、Ｓ１０５においてＹＥＳと判定した場合やＳ１０６においてＮＯと判定した場合には、制御部１３０は、予め定められた標準的な色温度調整量に基づいて表示映像を調整して表示する。
【００５４】
ステップＳ１０８の処理を実行した後、制御部１３０は、処理をステップＳ１０１に戻し、電源遮断されるまで映像表示制御処理を継続して実行する。
【００５５】
以上に述べたように、本実施の形態によれば、映像表示装置１００は、照明装置２００から取得した照明光情報に基づき、映像信号に施す映像処理を調整することにより、照明装置２００の照明光の光束および色温度の少なくともいずれか一方に適合した映像を表示する。これにより、鑑賞空間内の明るさや色合い等を検知するためのセンサを要することなく、表示映像と照明光とのずれを小さくすることができ、照明装置２００の照明のもとで映像表示装置１００の表示映像を鑑賞するユーザに対して、コストアップを抑制しつつ適切な鑑賞環境を提供することができる。
【００５６】
また、映像表示装置１００は、表示映像を照明光に応じて自動調整するかユーザ調整するかを選択設定することができる機能を有し、記憶部１５０は、表示映像の調整設定の状態を示す輝度調整設定フラグおよび色温度調整設定フラグを記憶する。これにより、ユーザは、照明光に応じた表示画像の調整を自動的に調整するか、自らが調整するかを設定することができる。
【００５７】
なお、本実施の形態において、輝度光束対応テーブルおよび色温度対応テーブルが、映像表示装置１００の記憶部１５０に予め記憶されている例について説明した。これに限られず、例えば、映像表示装置１００の通信部１４０が、通信ネットワークＮＷを介して、照明装置２００から照明光の照明光束の範囲と照明色温度の範囲を取得し、映像表示装置１００の映像制御部１３４が映像輝度の範囲と映像色温度の範囲とをそれぞれ対応付けた輝度光束対応テーブルと色温度対応テーブルとを生成してもよい。
【００５８】
また、映像表示装置１００は、映像輝度または映像色温度のいずれかに特化して表示映像を調整してもよい。例えば、映像表示装置１００が照明装置２００の照明光束に応じて映像輝度のみを調整する場合には、照明装置２００は、照明光の光束の設定値を示す照明光束情報のみを照明光情報として送信すればよく、映像表示装置１００の記憶部１５０は、輝度光束対応情報として、図３（Ａ）に示す輝度光束対応テーブルのみを記憶していればよい。一方、映像表示装置１００が照明装置２００の映像色温度に応じて映像色温度のみを調整する場合には、照明装置２００は、照明光の色温度の設定値を示す照明色温度情報のみを照明光情報として送信すればよく、映像表示装置１００の記憶部１５０は、色温度対応情報として、図３（Ｂ）に示す色温度対応テーブルのみを記憶していればよい。
【００５９】
また、上記の実施の形態では、映像表示装置１００の映像輝度と映像色温度の少なくともいずれか一方を照明装置２００の照明輝度と照明色温度の少なくともいずれか一方に適合させる手段として映像信号に施す映像処理を調整する方法について説明した。しかし、これに限らず、例えば、映像表示装置１００が液晶ディスプレイを備える表示装置である場合、液晶パネルのバックライトの輝度や色温度を調整する方法、若しくは、映像処理の調整とバックライトの調整を組み合わせる方法を用いてもよい。
【００６０】
（実施の形態２）
上述した実施の形態１では、照明装置２００の照明光の光束および色温度の少なくとも一方に応じて、映像表示装置１００の表示映像の輝度および色温度の少なくとも一方を調整した。本実施の形態では、映像表示装置１００の表示映像の輝度および色温度に応じて、照明装置２００の照明光の光束および色温度を調整する。
【００６１】
映像制御部１３４は、ユーザ操作により表示映像の輝度または色温度の設定が変更されたとき、あるいは、照明装置２００からの送信要求に応じて、表示映像情報を生成し、通信部２３０を制御して表示映像情報を照明装置２００に送信する。表示映像情報は、表示映像の輝度の設定値を示す映像輝度情報および表示映像の色温度の設定値を示す映像色温度情報を含む。
【００６２】
照明装置２００の記憶部２４０は、輝度光束対応情報および色温度対応情報として、例えば、図３（Ａ），（Ｂ）に示す輝度光束対応テーブルおよび色温度対応テーブルを予め定められた記憶領域に記憶する。制御部２２０は、通信部２３０を介して映像表示装置１００から表示映像情報を取得すると、記憶部２４０に記憶された輝度光束対応テーブルおよび色温度対応テーブルを参照し、表示映像の輝度および色温度の少なくとも一方に適合する照明光を出射するべく照明部２５０を制御する。
【００６３】
以上に述べたように、本実施の形態によれば、照明装置２００は、映像表示装置１００から取得した表示映像情報に基づき、映像表示装置１００の表示映像の輝度および色温度の少なくとも一方に適合した照明光を出射する。これにより、鑑賞空間内の明るさや色合い等を検知するためのセンサを要することなく、表示映像と照明光とのずれを小さくすることができ、照明装置２００の照明のもとで映像表示装置１００の表示映像を鑑賞するユーザに対して、コストアップを抑制しつつ適切な鑑賞環境を提供することができる。
【００６４】
（実施の形態３）
実施の形態１では、映像表示装置１００の表示映像の輝度および色温度の少なくともいずれか一方を、照明装置２００の照明光の光束および色温度の少なくともいずれか一方に適合するべく調整した。しかし、部屋に差し込む外光と照明装置２００の照明光とを併用して部屋を照明する場合には、部屋空間の明るさや色合いは照明装置２００の照明光の光束や色温度のみで決定されるわけではない。したがって、実施の形態３では、映像表示装置１００は、ユーザに照明光との適合度合いが異なる複数の映像を提示し、選択された映像の調整量に基づく映像を表示する。
【００６５】
図６を参照しながら、本実施の形態において映像表示装置１００の制御部１３０が実行する映像表示制御処理について説明する。なお、図６のフローチャートのステップＳ２０１〜２０３、Ｓ２０７，２０８は、図５のフローチャートのステップＳ１０１〜１０３、Ｓ１０５，Ｓ１０６と同様である。そのため、図５のフローチャートと同様のステップについては、その説明を簡略化する。制御部１３０は、映像表示装置１００の電源が投下されたことに応答して、映像表示制御処理を開始する。
【００６６】
制御部１３０は、映像表示制御処理を開始すると、まず、照明光情報を取得したか否かを判定する（ステップＳ２０１）。照明光情報を取得していないと判定した場合（ステップＳ２０１：ＮＯ）、制御部１３０は、ステップＳ２０１の処理を繰り返し実行し、照明光情報を取得するまで待機する。
【００６７】
一方、照明光情報を取得したと判定した場合（ステップＳ２０１：ＹＥＳ）、制御部１３０は、映像輝度と照明光束とが適合しているか否かを判定する（ステップＳ２０２）。映像輝度と照明光束とが適合していると判定した場合（ステップＳ２０２：ＹＥＳ）、制御部１３０は、ステップＳ２０７に処理を進める。
【００６８】
一方、映像輝度と照明光束とが適合していないと判定した場合（ステップＳ２０２：ＮＯ）、制御部１３０は、映像輝度の調整設定が自動調整であるか否かを判定する（ステップＳ２０３）。映像輝度の調整設定が自動調整ではないと判定した場合（ステップＳ２０３：ＮＯ）、制御部１３０は、ステップＳ２０７に処理を進める。
【００６９】
映像輝度の調整設定が自動調整であると判定した場合（ステップＳ２０３：ＹＥＳ）、制御部１３０は、輝度調整量が異なる複数のサンプル映像を表示させる（ステップＳ２０４）。制御部１３０の映像制御部１３４は、照明光束情報が示す照明光束との適合程度が異なる複数のゲイン調整量を算出する。続いて、映像制御部１３４は、算出したゲイン調整量の各々を用いて映像信号の輝度信号にゲイン処理を施して複数の表示用映像信号を生成し、表示部１６０を制御して、輝度調整量が異なる複数のサンプル映像を順次表示させる。例えば、図７（Ａ）〜（Ｃ）に示すように、輝度調整量が異なる３つのサンプル映像Ａ，Ｂ，Ｃが映像表示装置１００の表示画面に順次表示される。サンプル映像を表示させた後、映像制御部１３４は、サンプル映像のいずれかの選択を促すメッセージを表示させる。例えば、図７（Ｄ）に示すように、「サンプル映像Ａ，Ｂ，Ｃのどれを選びますか？」といった文字列を含む選択促進画像が映像表示装置１００の表示画面に表示される。
【００７０】
次に、制御部１３０は、サンプル映像のいずれかが選択されたか否かを判定する（ステップＳ２０５）。制御部１３０は、操作入力部１１０を介して、サンプル映像のいずれかを選択する操作信号を入力したか否かに応じて判定する。サンプル映像が選択されていないと判定した場合（ステップＳ２０５：ＮＯ）、制御部１３０は、ステップＳ２０５の処理を繰り返し、サンプル映像のいずれかが選択されるまで待機する。
【００７１】
一方、サンプル映像のいずれかが選択されたと判定した場合（ステップＳ２０５：ＹＥＳ）、制御部１３０は、選択されたサンプル映像に応じて、表示映像の輝度調整量を決定する（ステップＳ２０６）。
【００７２】
続いて、制御部１３０は、映像色温度と照明色温度とが適合しているか否かを判定する（ステップＳ２０７）。映像色温度と照明色温度とが適合していると判定した場合（ステップＳ２０７：ＹＥＳ）、制御部１３０は、ステップＳ２１２に処理を進める。
【００７３】
一方、映像色温度と照明色温度とが適合していないと判定した場合（ステップＳ２０７：ＮＯ）、制御部１３０は、映像色温度の調整設定が自動調整であるか否かを判定する（ステップＳ２０８）。映像色温度の調整設定が自動調整ではないと判定した場合（ステップＳ２０８：ＮＯ）、制御部１３０は、ステップＳ２１２に処理を進める。
【００７４】
映像色温度の調整設定が自動調整であると判定した場合（ステップＳ２０８：ＹＥＳ）、制御部１３０は、色温度調整量が異なる複数のサンプル映像を表示させる（ステップＳ２０９）。制御部１３０の映像制御部１３４は、照明色温度情報が示す照明色温度との適合程度が異なる複数のゲイン調整量を算出する。続いて、映像制御部１３４は、算出したゲイン調整量の各々を用いて映像信号の各色信号にゲイン処理を施して複数の表示用映像信号を生成し、表示部１６０を制御して、色温度調整量が異なる複数のサンプル映像を順次表示させる。また、サンプル映像を表示させた後、映像制御部１３４は、サンプル映像のいずれかの選択を促すメッセージを表示させる。
【００７５】
次に、制御部１３０は、サンプル映像のいずれかが選択されたか否かを判定する（ステップＳ２１０）。制御部１３０は、操作入力部１１０を介して、サンプル映像のいずれかを選択する操作信号を入力したか否かに応じて判定する。サンプル映像が選択されていないと判定した場合（ステップＳ２１０：ＮＯ）、制御部１３０は、ステップＳ２１０の処理を繰り返し、サンプル映像のいずれかが選択されるまで待機する。
【００７６】
一方、サンプル映像のいずれかが選択されたと判定した場合（ステップＳ２１０：ＹＥＳ）、制御部１３０は、選択されたサンプル映像に応じて、表示映像の色温度調整量を決定する（ステップＳ２１１）。
【００７７】
次に、制御部１３０は、決定した輝度調整量および色温度調整量に基づいて、表示映像を調整して表示する（ステップＳ２１２）。映像制御部１３４は、ステップＳ２０６において決定した輝度調整量を用いて映像信号の輝度信号にゲイン処理を施すことにより、表示映像の輝度を調整する。また、映像制御部１３４は、ステップＳ２１１において決定した色温度調整量を用いて映像信号の各色信号にそれぞれゲイン処理を施すことにより、表示映像の色温度を調整する。
【００７８】
ステップＳ２１２の処理を実行した後、制御部１３０は、処理をステップＳ２０１に戻し、電源遮断されるまで映像表示制御処理を継続して実行する。
【００７９】
以上に説明したように、本実施の形態によれば、映像表示装置１００は、照明装置２００の照明光の光束および色温度との適合度合いが異なる複数のサンプル映像を提示し、選択されたサンプル映像に施された輝度調整量および色温度調整量に基づいて、表示映像の輝度および色温度を調整して表示する。このように、ユーザは、自らの好みや部屋空間の照明状況に合わせて表示映像を選択することが可能となり、適切な映像鑑賞環境で映像を鑑賞することができる。
【００８０】
なお、制御部１３０が映像表示制御処理のステップＳ２０４において、表示部１６０に表示させる輝度調整量が異なる複数のサンプル映像は、例えば、放送信号に基づく映像が望ましい。また、制御部１３０がステップＳ２０９において、表示部１６０に表示させる色温度調整量が異なる複数のサンプル映像は、例えば、ユーザが色温度の違いを識別しやすい白色系画像が望ましい。
【００８１】
また、サンプル映像の表示態様や選択方法は、例えば、複数のサンプル映像を一定期間または一定回数サイクリックに順次表示させ、ユーザに所望のサンプル映像の表示中に選択操作させてもよい。また、図７（Ｅ）に示すように、複数のサンプル映像を同時に表示させて、ユーザが各サンプル映像の差異を認識しやすくしてもよい。
【００８２】
また、本実施の形態では、ユーザが好みや部屋空間の照明状況に合わせて表示映像を選択する例を説明した。映像表示装置１００は、外光が差し込むことにより部屋空間の照明状況が変化しやすい昼間の時間帯のみ、ユーザに所望の映像輝度や映像色温度をサンプル映像から選択させてもよい。
【００８３】
ここで、本実施の形態の変形例として、図８を参照しながら、映像表示装置１００の制御部１３０が実行する映像表示制御処理について説明する。なお、図８のフローチャートのステップＳ３０１〜３０３、Ｓ３０６〜Ｓ３１０，Ｓ３１３〜Ｓ３１６の各々は、図６のフローチャートのステップＳ２０１〜２０３、Ｓ２０４〜２０８，Ｓ２０９〜Ｓ２１２の各々と同様である。そのため、図６のフローチャートと同様のステップについては、その説明を簡略化する。制御部１３０は、映像表示装置１００の電源が投下されたことに応答して、映像表示制御処理を開始する。
【００８４】
制御部１３０は、映像表示制御処理を開始すると、まず、照明光情報を取得したか否かを判定する（ステップＳ３０１）。照明光情報を取得していないと判定した場合（ステップＳ３０１：ＮＯ）、制御部１３０は、ステップＳ３０１の処理を繰り返し実行し、照明光情報を取得するまで待機する。
【００８５】
一方、照明光情報を取得したと判定した場合（ステップＳ３０１：ＹＥＳ）、制御部１３０は、映像輝度と照明光束とが適合しているか否かを判定する（ステップＳ３０２）。映像輝度と照明光束とが適合していると判定した場合（ステップＳ３０２：ＹＥＳ）、制御部１３０は、ステップＳ３０９に処理を進める。
【００８６】
一方、映像輝度と照明光束とが適合していないと判定した場合（ステップＳ３０２：ＮＯ）、制御部１３０は、映像輝度の調整設定が自動調整であるか否かを判定する（ステップＳ３０３）。映像輝度の調整設定が自動調整ではないと判定した場合（ステップＳ３０３：ＮＯ）、制御部１３０は、ステップＳ３０９に処理を進める。
【００８７】
映像輝度の調整設定が自動調整であると判定した場合（ステップＳ３０３：ＹＥＳ）、制御部１３０は、昼間の時間帯であるか否かを判定する（ステップＳ３０４）。制御部１３０は、例えば、ＣＰＵに内蔵されたＲＴＣ（Real Time Clock）が計時する時刻や照明装置２００が計時機能を有する場合には通信ネットワークＮＷを介して照明装置２００から取得した時刻を用いて昼間の時間帯であるか否かを判定すればよい。また、昼間の時間帯とは、例えば、部屋に差し込む外光によって照明装置２００の照明光束や照明色温度が部屋の明るさや色合いに対して支配的でない時間帯であり、逆に、照明装置２００の照明光束や照明色温度が部屋の明るさや色合いに対して支配的である時間帯を夜間の時間帯といえる。昼間の時間帯と夜間の時間帯は、予め定められていればよい。昼間の時間帯ではないと判定した場合（ステップＳ３０４：ＮＯ）、制御部１３０は、記憶部１５０に記憶された輝度光束対応テーブルを参照して、映像輝度をステップＳ３０１において取得した照明光情報の照明光束情報が示す照明光束に適合させるための輝度調整量を決定し（ステップＳ３０５）、処理をステップＳ３０９に進める。
【００８８】
一方、ステップＳ３０４において、昼間の時間帯であると判定した場合（ステップＳ３０４：ＹＥＳ）、制御部１３０は、輝度調整量が異なる複数のサンプル映像を表示させ（ステップＳ３０６）、サンプル映像のいずれかが選択されたか否かを判定する（ステップＳ３０７）。サンプル映像が選択されていないと判定した場合（ステップＳ３０７：ＮＯ）、制御部１３０は、ステップＳ３０７の処理を繰り返し、サンプル映像のいずれかが選択されるまで待機する。
【００８９】
一方、サンプル映像のいずれかが選択されたと判定した場合（ステップＳ３０７：ＹＥＳ）、制御部１３０は、選択されたサンプル映像に応じて、表示映像の輝度調整量を決定する（ステップＳ３０８）。
【００９０】
次に、制御部１３０は、映像色温度と照明色温度とが適合しているか否かを判定する（ステップＳ３０９）。映像色温度と照明色温度とが適合していると判定した場合（ステップＳ３０９：ＹＥＳ）、制御部１３０は、ステップＳ３１６に処理を進める。
【００９１】
一方、映像色温度と照明色温度とが適合していないと判定した場合（ステップＳ３０９：ＮＯ）、制御部１３０は、映像色温度の調整設定が自動調整であるか否かを判定する（ステップＳ３１０）。映像色温度の調整設定が自動調整ではないと判定した場合（ステップＳ３１０：ＮＯ）、制御部１３０は、ステップＳ３１６に処理を進める。
【００９２】
映像色温度の調整設定が自動調整であると判定した場合（ステップＳ３１０：ＹＥＳ）、制御部１３０は、昼間の時間帯であるか否かを判定する（ステップＳ３１１）。昼間の時間帯ではないと判定した場合（ステップＳ３１１：ＮＯ）、制御部１３０は、記憶部１５０に記憶された輝度光束対応テーブルを参照して、映像色温度をステップＳ３０１において取得した照明光情報の照明色温度情報が示す照明色温度に適合させるための色温度調整量を決定し（ステップＳ３１２）、処理をステップＳ３１６に進める。
【００９３】
昼間の時間帯であると判定した場合（ステップＳ３１１：ＹＥＳ）、制御部１３０は、色温度調整量が異なる複数のサンプル映像を表示させ（ステップＳ３１３）、サンプル映像のいずれかが選択されたか否かを判定する（ステップＳ３１４）。サンプル映像が選択されていないと判定した場合（ステップＳ３１４：ＮＯ）、制御部１３０は、ステップＳ３１４の処理を繰り返し、サンプル映像のいずれかが選択されるまで待機する。
【００９４】
一方、サンプル映像のいずれかが選択されたと判定した場合（ステップＳ３１４：ＹＥＳ）、制御部１３０は、選択されたサンプル映像に応じて、表示映像の色温度調整量を決定する（ステップＳ３１５）。
【００９５】
次に、制御部１３０は、決定した輝度調整量および色温度調整量に基づいて、表示映像を調整して表示する（ステップＳ３１６）。映像制御部１３４は、ステップＳ３０５またはステップＳ３０８において決定した輝度調整量を用いて映像信号の輝度信号にゲイン処理を施すことにより、表示映像の輝度を調整する。また、映像制御部１３４は、ステップＳ３１２またはステップＳ３１５において決定した色温度調整量を用いて映像信号の各色信号にそれぞれゲイン処理を施すことにより、表示映像の色温度を調整する。
【００９６】
ステップＳ３１６の処理を実行した後、制御部１３０は、処理をステップＳ３０１に戻し、電源遮断されるまで映像表示制御処理を継続して実行する。
【００９７】
このように、本変形例では、映像表示装置１００は、昼間の時間帯のみ照明装置２００の照明光の光束および色温度との適合度合いが異なる複数のサンプル映像を提示し、選択されたサンプル映像に施された輝度調整量および色温度調整量に基づいて、表示映像の輝度および色温度を調整して表示する。これにより、ユーザは、上記の実施の形態と同様、自らの好みや部屋空間の照明状況に合わせて表示映像を選択することが可能となり、適切な映像鑑賞環境で映像を鑑賞することができる。
【００９８】
（実施の形態４）
実施の形態４に係る映像表示システム２は、図９に示すように、映像表示装置１００、照明装置２００、通信ネットワークＮＷに加え、制御装置３００を備える。なお、実施の形態４の映像表示装置１００および照明装置２００は、以下で説明する点を除き、実施の形態１の映像表示装置１００および照明装置２００と同様の機能を有する。
【００９９】
制御装置３００は、映像表示装置１００および照明装置２００を統括的に制御する。制御装置３００は、通信ネットワークＮＷを介して、映像表示装置１００、照明装置２００のそれぞれと相互にデータ通信可能に接続されている。制御装置３００は、ＨＥＭＳコントローラとしての機能を有する。
【０１００】
ここで、制御装置３００の構成について説明する。制御装置３００は、図１０に示すように、操作入力部３１０、制御部３２０、通信部３３０、記憶部３４０を備える。
【０１０１】
操作入力部３１０は、ユーザによる各種の操作を受け付ける。操作入力部３１０は、例えば、照明装置２００を遠隔操作する機能を有するリモートコントローラ、携帯電話、タブレット端末等の操作機器ＲＣから赤外線通信、Ｂｌｕｅｔｏｏｔｈ（登録商標）等の近距離無線通信を用いて送信される操作信号を受信する通信インタフェースを備える。なお、操作入力部３１０は、ユーザによる操作を受け付けるためのボタン、キー、つまみ等の物理的な部材を備え、これらの部材を用いた操作に応じた操作信号を生成してもよい。
【０１０２】
制御部３２０は、ＣＰＵ、ＲＡＭ、ＲＯＭ等を有するコンピュータを備える。制御部３２０は、ＲＯＭに記憶された各種の動作プログラムを読み出してＲＡＭ上で実行することにより、制御装置３００の各構成部位を制御する。制御部３２０は、定期的または必要に応じて、通信部３３０を制御して照明装置２００に対して照明光情報の送信要求を送信する。なお、制御部３２０は、特許請求の範囲における制御装置の制御手段の一例である。
【０１０３】
通信部３３０は、通信ネットワークＮＷを介して、映像表示装置１００、照明装置２００のそれぞれとデータ通信するための通信インタフェースである。通信部３３０は、例えば、制御部３２０の制御のもと、映像表示装置１００、照明装置２００のそれぞれに各種の制御情報を送信する。また、通信部３３０は、映像表示装置１００から表示映像情報を受信し、照明装置２００から照明光情報を受信する。なお、通信部３３０は、特許請求の範囲における制御装置の取得手段の一例である。
【０１０４】
記憶部３４０は、記憶内容が書き換え可能な不揮発性の半導体メモリ、ハードディスクドライブ等を備え、演算データ、送受信データ等の各種データを記憶する。記憶部３４０は、輝度光束対応情報および色温度対応情報として、例えば、図３（Ａ），（Ｂ）に示す輝度光束対応テーブルおよび色温度対応テーブルを予め定められた記憶領域に記憶する。なお、記憶部３４０は、特許請求の範囲における制御装置の記憶手段の一例である。
【０１０５】
このように、本実施の形態では、照明装置２００は、実施の形態１とは異なり、ユーザ操作により照明光の設定が変更されたとき、または、制御装置３００からの送信要求に応じて、制御装置３００に対して照明光情報を送信する。また、映像表示装置１００の記憶部１５０は、実施の形態１とは異なり、輝度光束対応テーブルおよび色温度対応テーブルを記憶しない。
【０１０６】
次に、制御装置３００の動作について説明する。制御部３２０は、通信部３３０を介して照明装置２００から照明光情報を取得すると、記憶部３４０に記憶された輝度光束対応テーブルおよび色温度対応テーブルを参照し、照明光情報の照明光束情報が示す照明光束に対応付けられた映像輝度、照明光情報の照明色温度情報が示す照明色温度に対応付けられた映像色温度で映像を表示させるための映像表示制御情報を生成し、映像表示装置１００に送信する。
【０１０７】
映像表示制御情報を受信した映像表示装置１００は、映像表示制御情報に従って、照明装置２００の照明光の光束および色温度の少なくとも一方に適合するべく輝度および色温度の少なくとも一方が調整された映像を表示する。
【０１０８】
以上に説明したように、本実施の形態によれば、制御装置３００は、照明装置２００から取得した照明光情報と記憶部３４０に記憶された輝度光束対応テーブルおよび色温度対応テーブルに基づき、照明光に適合する映像を表示させるための映像表示制御情報を映像表示装置１００に送信する。このように、制御装置３００が表示映像と照明光とを適合させるための制御を行うため、映像表示装置１００および照明装置２００は、少なくとも主機能と通信機能を備えていればよい。したがって、映像表示システム２を構成する映像表示装置１００と照明装置２００の選択可能な機種が多くなり、コストアップを抑制しつつ適切な鑑賞環境を提供することができる。
【０１０９】
なお、制御装置３００は、映像表示装置１００から取得した表示映像情報と記憶部３４０に記憶された輝度光束対応テーブルおよび色温度対応テーブルに基づき、表示映像に適合する照明光を出射させるための照明光制御情報を照明装置２００に送信することにより、照明装置２００を制御してもよい。また、制御装置３００は、表示映像と出射光とを適合させるべく、適宜、映像表示制御情報と照明光制御情報をそれぞれ映像表示装置１００と照明装置２００に送信することにより、映像表示装置１００と照明装置２００の双方を制御してもよい。
【０１１０】
最後に、図１１を参照して、実施の形態１〜４に係る映像表示装置１００、照明装置２００、制御装置３００のハードウェア構成例を説明する。映像表示装置１００、照明装置２００、制御装置３００は、各装置内の各部を制御するプロセッサ４００、各種データを記憶するメモリ５００、他の装置と情報の入出力を行うインタフェース６００を備え、これらの構成要素は、バスラインＢＬを介して相互に電気的に接続されている。
【０１１１】
映像表示装置１００の制御部１３０、照明装置２００の制御部２２０、制御装置３００の制御部３２０の各機能は、プロセッサ４００により実現される。プロセッサ４００は、例えば、メモリ５００に記憶されているプログラムを実行するＣＰＵである。なお、プロセッサ４００は、ＣＰＵに加えて、または、ＣＰＵに替えて、ＤＳＰ（Digital Signal Processor）、ＧＰＵ（Graphics Processing Unit）等であってもよい。
【０１１２】
映像表示装置１００の記憶部１５０、照明装置２００の記憶部２４０、制御装置３００の記憶部３４０は、メモリ５００により実現される。メモリ５００は、例えば、ＲＯＭ、ＲＡＭ、フラッシュメモリ、ＥＰＲＯＭ（Erasable Programmable Read Only Memory）、ＥＥＰＲＯＭ（Electrically Erasable Programmable Read Only Memory）等の不揮発性または揮発性の半導体メモリ、磁気ディスク、フレキシブルディスク、光ディスク、コンパクトディスク、ミニディスク、ＤＶＤ（Digital Versatile Disc）等である。
【０１１３】
映像表示装置１００におけるメモリ５００には、プロセッサ４００が実行するプログラム、輝度光束対応テーブル、色温度対応テーブル、輝度調整フラグ、色温度調整フラグ等を記憶される。また、照明装置２００におけるメモリ５００には、プロセッサ４００が実行するプログラム、照明光情報等が記憶される。制御装置３００におけるメモリ５００には、プロセッサ４００が実行するプログラム、輝度光束対応テーブル、色温度対応テーブル等が記憶される。
【０１１４】
映像表示装置１００の操作入力部１１０、放送受信部１２０，通信部１４０、照明装置２００の操作入力部２１０、通信部２３０，制御装置３００の操作入力部３１０、通信部３３０は、インタフェース６００により実現される。
【０１１５】
なお、本発明は、上記の実施の形態に限定されず、本発明の要旨を逸脱しない範囲での種々の変形および応用が可能である。
【０１１６】
例えば、上記の実施の形態において、映像表示装置１００は、照明装置２００の照明光の明るさや色合いに応じて、表示映像の明るさや色合いを調整した。しかし、照明装置２００の照明光の明るさや色合いに応じて、表示映像の調整に加えて、出力音声の音量、音質等を調整してもよい。
【０１１７】
また、上記の実施の形態において、映像表示システム１および映像表示システム２に含まれる装置間で用いられる通信プロトコルはＥＣＨＯＮＥＴ Ｌｉｔｅである例について説明したが、これに限らず、他の通信プロトコルを使用してもよい。
【０１１８】
また、上記の実施の形態において、映像表示装置１００がテレビジョン受信機である例について説明したが、これに限らず、映像表示装置１００は、例えば、放送受信機能を備えていないディスプレイモニタ、または、スマートフォン等の携帯情報端末であってもよい。
【０１１９】
また、上記の実施の形態において、制御部１３０，２２０，３２０のＣＰＵが実行する動作プログラムは、あらかじめＲＯＭに記憶されていた。しかしながら、本発明は、これに限定されず、上記の各種処理を実行させるための動作プログラムを、既存の汎用コンピュータや、フレームワーク、ワークステーション等に実装することにより、上記の実施の形態に係る映像表示装置１００、照明装置２００、制御装置３００に相当する装置として機能させてもよい。
【０１２０】
このようなプログラムの提供方法は任意であり、例えば、コンピュータが読取可能な記録媒体（フレキシブルディスク、ＣＤ（Compact Disc）−ＲＯＭ、ＤＶＤ−ＲＯＭ）等に格納して配布してもよいし、インターネットをはじめとするネットワーク上のストレージにプログラムを格納しておき、これをダウンロードさせることにより提供してもよい。
【０１２１】
また、上記の処理をＯＳ（Operating System）とアプリケーションプログラムとの分担、または、ＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（Bulletin Board System：BBS）に上記プログラムを掲示し、ネットワークを介してプログラムを配信してもよい。そして、このプログラムを起動し、ＯＳの制御下で、他のアプリケーションプログラムと同様に実行することにより、上記の処理を実行するべく構成してもよい。
【符号の説明】
【０１２２】
１，２…映像表示システム、１００…映像表示装置、１１０…操作入力部、１２０…放送受信部、１３０…制御部、１３１…選局部、１３２…復調部、１３３…分離部、１３４…映像制御部、１３５…音声制御部、１４０…通信部、１５０…記憶部、１６０…表示部、１７０…音声出力部、２００…照明装置、２１０…操作入力部、２２０…制御部、２３０…通信部、２４０…記憶部、２５０…照明部、３００…制御装置、３１０…操作入力部、３２０…制御部、３３０…通信部、３４０…記憶部、４００…プロセッサ、５００…メモリ、６００…インタフェース、ＡＮＴ…アンテナ、ＢＬ…バスライン、ＮＷ…通信ネットワーク、ＲＣ…操作機器
【図１】
2019066799.tif 000003
【図２】
2019066799.tif 000004
【図３】
2019066799.tif 000005
【図４】
2019066799.tif 000006
【図５】
2019066799.tif 000007
【図６】
2019066799.tif 000008
【図７】
2019066799.tif 000009
【図８】
2019066799.tif 000010
【図９】
2019066799.tif 000011
【図１０】
2019066799.tif 000012
【図１１】
2019066799.tif 000013